(57)【要約】【課題】底縁部を両側部と同じ厚さとして水平な姿勢で積層して、内容積を大きくする。【解決手段】薬袋は、一枚のシート６を底縁７に沿って折り返すように折曲して、表面シート３と裏面シート４としており、表面シート３と裏面シート４は、両側縁を両側接着部１で接着して上方を開口する袋状としている。表面シート３と裏面シート４は、折曲している底縁部の対向する内面を底縁接着部２で接着している。【選択図】図４
2013249124.tif 000002
【特許請求の範囲】
【請求項１】
一枚のシート(6)を底縁(7)に沿って折り返すように折曲して、表面シート(3)と裏面シート(4)としており、前記表面シート(3)と裏面シート(4)は、両側縁を両側接着部(1)で接着して上方を開口する袋状としており、
さらに、前記表面シート(3)と裏面シート(4)が、折曲してなる底縁部の対向する内面を底縁接着部(2)で接着してなることを特徴とする薬袋。
【請求項２】
前記底縁接着部(2)が剥離糊で接着されてなる請求項１に記載される薬袋。
【請求項３】
前記表面シート(3)と裏面シート(4)とが、両側接着部(1)の外側に非接続部(5)を設けてなる請求項１又は２に記載される薬袋。
【請求項４】
シート(6)が紙である請求項１ないし３のいずれかに記載される薬袋。
【発明の詳細な説明】
【技術分野】
【０００１】
本発明は、薬局で薬剤を入れて患者に手渡される薬袋に関し、とくに、プリンタで印刷するのに最適な薬袋に関する。
【背景技術】
【０００２】
従来の薬袋は、図１に示すように、１枚のシート１６を底縁１７で折り返し、シート１６の両側に沿ってノリシロを設けて、表面シート１３と裏面シート１４とをノリシロにおいて糊で接着して、上方を開口する袋状としている。この薬袋は、両側接着部１１で表面シート１３と裏面シート１４とを接着している。（特許文献１参照）
この薬袋は、複数枚を積層すると、図２に示すように、次第に水平面内に対して傾斜する姿勢となる。それは、折曲加工している底縁１７の厚さが、接着している両側よりも厚くなるからである。薬袋の底縁部は、紙などのシートを１８０度折曲して、所定の曲率半径で折曲加工される。この薬袋は、シートを底縁部に沿って小さい曲率半径で湾曲して折曲するが、曲率半径を０にできないので、湾曲部が薬袋底縁部を厚くする。また、折曲加工した後の復元力で曲率半径が大きくなるので、このことによっても、薬袋底縁部が厚くなる。底縁部が厚くなる薬袋は、積層されて、図２に示すように上面が傾斜する姿勢となるので、たとえば、これをプリンタにセットして印刷すると、紙詰まりなどが発生しやすくなる欠点がある。また、この薬袋は、積層して包装する状態においても、同じ厚さにできず、包装、梱包、輸送に手間がかかる欠点がある。
【０００３】
以上の欠点は、図３に示すように、２枚に切り離したシート２６の両側縁を両側接着部２１で接着して、底縁部を底縁部接着部２２で接着して袋状とする薬袋で解消できる。（特許文献２参照）
【先行技術文献】
【特許文献】
【０００４】
【特許文献１】特開２００９−８２３５７号公報
【特許文献２】特開２０００−２１９２４７号公報
【発明の概要】
【発明が解決しようとする課題】
【０００５】
図３に示す薬袋は、両側を両側接着部２１で接着して、底縁部を底縁接着部２２で接着するので、全体が同じ厚さとなる。したがって、この薬袋は複数枚を水平姿勢に積層できる。しかしながら、この薬袋は、２枚のシートを底縁接着部で接着するので、底縁接着部で内容積が小さくなる欠点がある。内容積が小さくなる薬袋は、シートを大きくして内容積を大きくするので、シートとして使用する原料コストが高くなる。
【０００６】
本発明は、以上の欠点を解決することを目的に開発されたものである。本発明の重要な目的は、底縁部を両側部と同じ厚さとして水平な姿勢で積層でき、しかも内容積を大きくして原料コストを低減できる薬袋を提供することにある。
【課題を解決するための手段及び発明の効果】
【０００７】
本発明の薬袋は、一枚のシート６を底縁８に沿って折り返すように折曲して、表面シート３と裏面シート４としており、表面シート３と裏面シート４は、両側縁を両側接着部１で接着して上方を開口する袋状としている。表面シート３と裏面シート４は、折曲している底縁部の対向する内面を底縁接着部２で接着している。
【０００８】
以上の薬袋は、底縁部を両側部と同じ厚さとして水平な姿勢で積層でき、しかも内容積を大きくして原料コストを低減できる特徴がある。それは、以上の薬袋が、表面シートと裏面シートとを底縁で折曲して連結しながら、底縁の対向する内面を底縁接着部で接着しているからである。この薬袋は、表面シートと裏面シートとを底縁で切り離すことなく連結して、その内面を底縁接着部で接着しているので、底縁接着部の接着幅を狭くできる。底縁接着部が剥離されても、底縁が開口されないからである。
【０００９】
図３に示すように、表面シート２３と裏面シート２４とを２枚に切り離して、両側接着部２１と底縁接着部２２とで接着している従来の薬袋は、底縁部と両端部とを同じ厚さにできる。しかしながら、この薬袋は、底縁接着部２２が剥離すると底縁部が開いて薬剤が漏れるので、底縁接着部２２を狭くできず、底縁部を剥離しない幅で接着する必要がある。このため、底縁接着部２２が薬袋の内容積を小さくする欠点がある。さらに、底縁接着部２２は、接着面に塗布される糊が外縁からはみ出さないように、対向面の外縁に沿って糊を塗布しない非接着部２５を設ける必要がある。外側に沿って非接着部２５を設け、さらに非接着部２５の内側に、剥離しない横幅の底縁接着部２２を設ける従来の薬袋は、底縁接着部２２によって内容積が相当に小さくなる欠点がある。
【００１０】
これに対して本発明の薬袋は、表面シートと裏面シートとを２枚に切り離すことなく、連続させて底縁で折り返し、さらに、折り返して対向する内面に糊を塗布して底縁接着部で接着している。底縁接着部は、切り離さないで連続している表面シートと裏面シートとを折り返し状態に保持するために接着するので、強い接着強度が要求されない。また、底縁接着部の外側を切り離さないので、糊が外側にはみ出すことがなく、外側に非接着部を設ける必要もない。したがって、本発明の薬袋は、底縁接着部の幅を狭くできると共に、その外側には非接着部を設ける必要もないので、底縁部での接着領域を狭くして、内容積を相当に大きくできる。また、幅を狭くする底縁接着部が仮に剥離しても、シートが連続するので、底縁部が開いて薬剤が外部に漏れることはない。
【００１１】
本発明の薬袋は、底縁接着部２を剥離糊で接着することができる。
この薬袋の底縁接着部は、剥離糊で剥離するまでは接着状態に保持される。したがって、底縁接着部が接着される状態では、底縁部と両端部との厚さに差はなく、同じ厚さに積層できる。したがって、たとえば薬袋を積層してプリンタにセットする状態では、同じ厚さとなってプリンタでスムーズに紙送りして印刷できる。また、積層して収納する状態においても、同じ厚さとなって便利に収納できる。ところが、底縁接着部の剥離糊は、剥離した後は再接着されないので、薬袋に薬剤を入れる工程においては、底縁接着部を剥離した後は、底縁接着部が分離された状態に保持される。したがって、薬袋に薬剤を入れる状態では、底縁接着部が剥離されて内容積をさらに大きくできる特徴がある。
【００１２】
本発明の薬袋は、表面シート３と裏面シート４を接着している両側接着部１の外側に非接着部５を設けることができる。この薬袋は、両側に糊がはみ出すことがない。
【００１３】
本発明の薬袋は、シートを紙とすることができる。この薬袋は、安価な糊で底縁部と両端部とを確実に接着できる。
【図面の簡単な説明】
【００１４】
【図１】従来の薬袋を示す正面図である。
【図２】図に示す薬袋の積層状態を示す側面図である。
【図３】従来の他の薬袋を示す正面図である。
【図４】本発明の一実施例にかかる薬袋の正面図である。
【図５】図４に示す薬袋の底縁部の拡大断面図である。
【図６】シートを折曲加工して接着しない状態を示す拡大断面図である。
【図７】本発明の一実施例にかかる薬袋の製造工程を示す展開正面図である。
【発明を実施するための形態】
【００１５】
以下、本発明の実施例を図面に基づいて説明する。ただし、以下に示す実施例は、本発明の技術思想を具体化するための薬袋を例示するものであって、本発明は薬袋を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図４に示す薬袋は、一枚のシート６を底縁７に沿って折り返すように折曲して、表面シート３と裏面シート４として、表面シート３と裏面シート４の両側縁を両側接着部１で接着して上方を開口する袋状としている。さらに、この薬袋は、表面シート３と裏面シート４の底縁部を底縁接着部２で接着している。シート６は紙である。ただし、シートは、紙に代わって、不織布、プラスチックシート、プラスチックフィルムなど、折曲加工して薬袋に使用できる全てのシートを使用できる。
【００１７】
表面シート３と裏面シート４を両側で接着する両側接着部１は、剥離すると収納している薬剤が外部に漏れる。したがって、剥離しない接着幅で表面シート３と裏面シート４とを接着する。さらに、糊が外側にはみ出さないように、外側に糊が塗布されない非接着部５を設けている。外側に糊がはみ出すと、複数の薬袋を積層する状態で、糊が上下の薬袋を付着してスムーズに分離できなくなるからである。非接着部は、たとえば横幅を、０．３ｍｍ〜２ｍｍとする。
【００１８】
底縁接着部２は、図５の拡大断面図に示すように、シート６を折り返すように折曲して、折曲された底縁部の対向する内面を接着剤８で接着している。この薬袋の底縁７は、シート６を２枚に切り離すことなく、連続する状態で折り返すように折曲し、さらに対向面を接着剤８で接着している。この薬袋の底縁部は、連続するシート６で連結され、さらに対向面を接着剤８で接着して連結している。この薬袋は、表面シート３と裏面シート４との底縁部を、切り離さない連続シートで連結し、さらに、対向面を接着して連結している。すなわち、表面シート３と裏面シート４の底縁部は、シート自体が連続し、かつ、対向面を接着するふたつの連結構造で連結している。
【００１９】
以上の薬袋は、表面シート３と裏面シート４の底縁部を切り離すことなく連続するシート６を折り返す構造とするので、底縁接着部２が剥離しても薬袋の底縁７が開かれて薬剤が漏れることがない。連続するシート６を折り返すように折曲する底縁部は、対向面を接着しない状態では実質的な厚さが、両端部よりも厚くなる。図６の拡大断面図は、連続するシート６を折り返した状態を示している。この図に示すように、折曲加工されたシート６は、所定の曲率半径で湾曲する。さらに、小さい曲率半径で折り返すように折曲加工されたシート６も、それ自体の復元性によって曲率半径が大きくなる。折曲加工されたシート６は、湾曲する曲率半径の大きさで実質的な厚さが特定される。薬袋は、折曲加工する底縁７の曲率半径を小さくして薄くできる。シート６の復元性によって、小さい曲率半径には維持できず、実質的な厚さが厚くなる。
【００２０】
図４の薬袋は、底縁部の実質的な厚さを薄くするために、言い換えると、折曲加工された小さい曲率半径を維持するために、底縁部に底縁接着部２を設けている。薬袋は、表面シート３と裏面シート４の底縁部対向面を接着剤８で接着して底縁接着部２を設けている。底縁接着部２は、底縁７を小さい曲率半径の折曲状態に維持するために、表面シート３と裏面シート４とを接着する。シート６を底縁７で切り離さない薬袋は、底縁接着部２が剥離しても、薬袋の底から薬剤が漏れることがない。底縁接着部２は、底縁７を折曲状態に維持するものであって、薬袋の底縁７を閉塞するものではない。したがって、底縁接着部２は、薬袋に薬剤を入れる状態で剥離しないように接着幅を広くする必要がなく、また、剥離しない接着力の強い接着剤８で接着する必要もない。
【００２１】
底縁接着部２は、好ましくは剥離糊で表面シート３と裏面シート４の対向面を接着する。剥離糊は、剥離するまでは接着状態に維持されるが、薬袋に薬剤を入れる工程において、強制的に剥離すると、再接着できない接着剤８である。底縁接着部２を剥離糊で接着する薬袋は、薬剤を入れる時には、底縁接着部２を剥離して内容積を大きくする。薬袋の底縁接着部２は、薬袋に薬剤が入れられるまで、すなわち、薬袋を製造してから薬袋にプリンタで所定の印刷をした後、薬剤が入れられるまでは、表面シート３と裏面シート４の底縁部を接着状態に維持する。底縁接着部２が接着状態に維持される状態で、薬袋は積層されて同じ厚さとなる。同じ厚さに積層される薬袋は、積層状態で嵩張らず、またプリンタにセットして紙詰まりりすることがない。
【００２２】
底縁接着部２を剥離糊で接着する薬袋は、薬剤を入れる時に、底縁接着部２を剥離して薬剤の収納容積を大きくできる。したがって、この薬袋は、底縁接着部２が薬剤の収納容積を小さく制限しない。このため、底縁接着部２を剥離糊で接着する薬袋は、底縁接着部２の接着幅を広くして、薬剤の収納容積を大きくできる。
【００２３】
底縁接着部２は、好ましくは剥離糊で底縁部を接着するが、再剥離糊や剥離しない接着剤で接着することもできる。再剥離糊は、繰り返し剥離しても底縁接着部を再接着できる。剥離しない接着剤の底縁接着部は、薬袋に薬剤を入れる時に剥離できない。したがって、底縁接着部の接着幅が薬袋の収納容積を制限する。したがって、底縁接着部を剥離できない接着剤とする薬袋は、底縁接着部の接着幅を両側接着部の接着幅よりも狭くして、収納容積を大きくできる。
【００２４】
さらに、底縁接着部２は、連続するシート６を対向面で接着している。底縁接着部２の外側は、連続シートがある。したがって、この構造の薬袋は、底縁接着部２の外側に糊が漏れることがない。このため、底縁接着部２は、両側接着部１のように外側に非接着部を設ける必要がなく外側まで接着できる。このことは、底縁接着部２の接着幅を狭くできることと相乗して、底縁接着部２の実質的な接着幅をさらに狭くする。
【００２５】
以上の薬袋は、図７に示すように、両側に沿って両側接着部１の糊を塗布し、さらに折り返される底縁７の両側に所定の幅で底縁接着部２の糊を塗布し、その後、底縁７で折り返して、両側と底縁部とを接着して製造される。
【産業上の利用可能性】
【００２６】
本発明の薬袋は、積層状態でプリンタにセットする用途に最適に使用できる。
【符号の説明】
【００２７】
１…両側接着部
２…底縁接着部
３…表面シート
４…裏面シート
５…非接着部
６…シート
７…底縁
８…接着剤
１１…両側接着部
１３…表面シート
１４…裏面シート
１６…シート
１７…底縁
２１…両側接着部
２２…底縁接着部
２３…表面シート
２４…裏面シート
２５…非接着部
２６…シート
【図１】
2013249124.tif 000003
【図２】
2013249124.tif 000004
【図３】
2013249124.tif 000005
【図４】
2013249124.tif 000006
【図５】
2013249124.tif 000007
【図６】
2013249124.tif 000008
【図７】
2013249124.tif 000009